【手続補正書】
【提出日】平成16年10月27日(2004.10.27)
【手続補正１】
【補正対象書類名】明細書
【補正対象項目名】特許請求の範囲
【補正方法】変更
【補正の内容】
【特許請求の範囲】
【請求項１】
機器本体内に外部電源から電源を供給する第１のプラグが挿入される第１のジャックと、
充電器を介して上記機器本体内に電源を供給するために上記充電器より突設する第２のプラグが挿入される第２のジャックと、
上記第１のジャックに設けられ、上記第１のプラグを押圧する第１の付勢手段と、
上記第２のジャックに設けられ、上記第２のプラグを上記第１の付勢手段よりも弱い付勢力で押圧する第２の付勢手段と、
を備える電子機器。
【請求項２】
上記第１の付勢手段は、上記第１のプラグを該第１のプラグの軸方向と略直交する方向に押圧し、
上記第２の付勢手段は、上記第２のプラグを該第２のプラグの軸方向と略直交する方向に押圧することを特徴とする請求項１記載の電子機器。
【請求項３】
上記第１のジャックにはＤＣ入力プラグが挿入されることを特徴とする請求項１記載の電子機器。
【請求項４】
上記第２のジャックは、上記充電器より突設する第２のプラグの負極と上記機器本体のマイナス側端子との接続を図る第１の付勢手段と摺接するとともに、上記充電器より突設する第２のプラグの正極と上記機器本体のプラス側端子との接続を図る第２の付勢手段とを備え、
上記第２のジャックは、上記充電器より突設する第２のプラグの負極及び正極と上記マイナス側端子及びプラス側端子を順次当接させることにより、グランドで上記充電器との電位を合わせた後、電源が供給されることを特徴とする請求項１記載の電子機器。
【請求項５】
電子機器が載置される載置部が設けられた基体部と、
上記基体部より立ち上がり形成され、上記載置部に載置された電子機器を支持する支持壁と、
上記載置部から突設され、上記電子機器の底面部に設けられた充電用ジャックと接続することにより上記電子機器に電源を供給する充電プラグとを備え、
上記充電プラグは、上記電子機器の充電用ジャック内に形成された第１の付勢手段により、上記電子機器の底面部に設けられた外部電源用ジャックに形成された第２の付勢手段よりも弱い力で付勢される充電スタンド。
【請求項６】
上記第１の付勢手段は、上記充電プラグを該充電プラグの軸方向と略直交する方向に付勢することを特徴とする請求項５記載の充電スタンド。
【請求項７】
上記充電プラグに形成された負極は、正極よりも上記充電プラグの先端に延在され、
上記充電プラグは、上記充電用ジャック内のマイナス側端子と上記負極が接続された後に、上記充電用ジャック内のプラス側端子と上記正極が接続されることを特徴とする請求項５記載の充電スタンド。
【請求項８】
上記支持壁は、上記電子機器本体の背面部と係合する係合部が設けられ、
上記係合部と上記電子機器本体とが係合することにより、上記充電プラグは、上記電子機器の充電用ジャックと接続することを特徴とする請求項５記載の充電スタンド。
【請求項９】
上記基体部の底面部には、該基体部を設置面に固着させる粘着部材が形成されることを特徴とする請求項５記載の充電スタンド。
【請求項１０】
機器本体内に外部電源から電源を供給する第１のプラグが挿入される第１のジャックと、
充電器を介して上記機器本体内に電源を供給するために上記充電器より突設する第２のプラグが挿入される第２のジャックと、
上記第１のジャックに設けられ、上記第１のプラグを押圧する第１の付勢手段と、
上記第２のジャックに設けられ、上記第２のプラグを押圧する第２の付勢手段とを備える電子機器と、
上記電子機器が載置される載置部が設けられた基体部と、
上記基体部より立ち上がり形成され、上記載置部に載置された上記電子機器を支持する支持壁と、
上記載置部から突設され、上記電子機器の底面部に設けられた第２のジャックに挿入することにより上記第２の付勢手段により押圧され、上記電子機器に電源を供給する上記第２のプラグとを備えた充電スタンドとを有し、
上記第２のジャックに設けられた第２の付勢手段は、上記第２のジャックに挿入した第２のプラグを上記第１の付勢手段よりも弱い付勢力で押圧する充電システム。
【請求項１１】
上記第１の付勢手段は、上記第１のプラグを該第１のプラグの軸方向と略直交する方向に押圧し、
上記第２の付勢手段は、上記第２のプラグを該第２のプラグの軸方向と略直交する方向に押圧することを特徴とする請求項１０記載の充電システム。
【請求項１２】
上記電子機器の背面側には係合凹部又は係合突部のいずれか一方が形成され、上記充電スタンドの支持壁には係合凹部又は係合突部のいずれか他方が形成され、
上記係合凹部と係合突部が係合することにより、上記電子機器は、上記第２のプラグが上記電子機器の第２のジャックと接続されて上記充電スタンドの上記載置部に載置されることを特徴とする請求項１０記載の充電システム。
【請求項１３】
上記充電スタンドの載置部には、上記第２のプラグの突設方向と同方向に突設され、上記載置部に載置された電子機器を取り外す方向に付勢する付勢部材が設けられ、
上記電子機器は、上記係合凹部と係合突部が係合されることにより、上記付勢部材の付勢力に対抗して上記載置部に載置され、上記係合凹部と係合突部との係合が解除されることにより、上記付勢部材により上記載置部から取り外される方向に付勢されることを特徴とする請求項１２載の充電システム。
【請求項１４】
上記基体部の底面部には、該基体部を設置面に固着させる粘着部材が形成されることを特徴とする請求項１０記載の充電システム。
【請求項１５】
上記第２のプラグに形成された負極は、正極よりも上記第２のプラグの先端に延在され、
上記第２のプラグは、上記第２のジャック内のマイナス側端子と上記負極が接続された後に、上記第２のジャック内のプラス側端子と上記正極が接続されることを特徴とする請求項１０記載の充電システム。
【手続補正２】
【補正対象書類名】明細書
【補正対象項目名】０００９
【補正方法】変更
【補正の内容】
【０００９】
【課題を解決するための手段】
上述した課題を解決するために、本発明にかかる電子機器は、機器本体内に外部電源から電源を供給する第１のプラグが挿入される第１のジャックと、充電器を介して上記機器本体内に電源を供給するために上記充電器より突設する第２のプラグが挿入される第２のジャックと、上記第１のジャックに設けられ、上記第１のプラグを押圧する第１の付勢手段と、上記第２のジャックに設けられ、上記第２のプラグを上記第１の付勢手段よりも弱い付勢力で押圧する第２の付勢手段とを備えるものである。
【手続補正３】
【補正対象書類名】明細書
【補正対象項目名】００１０
【補正方法】変更
【補正の内容】
【００１０】
また、本発明にかかる充電スタンドは、電子機器が載置される載置部が設けられた基体部と、上記基体部より立ち上がり形成され、上記載置部に載置された電子機器を支持する支持壁と、上記載置部から突設され、上記電子機器の底面部に設けられた充電用ジャックと接続することにより上記電子機器に電源を供給する充電プラグとを備え、上記充電プラグは、上記電子機器の充電用ジャック内に形成された第１の付勢手段により、上記電子機器の底面部に設けられた外部電源用ジャックに形成された第２の付勢手段よりも弱い力で付勢されるものである。
【手続補正４】
【補正対象書類名】明細書
【補正対象項目名】００１１
【補正方法】変更
【補正の内容】
【００１１】
また、本発明にかかる充電システムは、機器本体内に外部電源から電源を供給する第１のプラグが挿入される第１のジャックと、充電器を介して上記機器本体内に電源を供給するために上記充電器より突設する第２のプラグが挿入される第２のジャックと、上記第１のジャックに設けられ、上記第１のプラグを押圧する第１の付勢手段と、上記第２のジャックに設けられ、上記第２のプラグを押圧する第２の付勢手段とを備える電子機器と、上記電子機器が載置される載置部が設けられた基体部と、上記基体部より立ち上がり形成され、上記載置部に載置された上記電子機器を支持する支持壁と、上記載置部から突設され、上記電子機器の底面部に設けられた第２のジャックに挿入することにより上記第２の付勢手段により押圧され、上記電子機器に電源を供給する上記第２のプラグとを備えた充電スタンドとを有し、上記第２のジャックに設けられた第２の付勢手段は、上記第２のジャックに挿入した第２のプラグを上記第１の付勢手段よりも弱い付勢力で押圧するものである。